(57)【要約】【課題】表示装置の使用環境に応じて適切な画質調整を行う技術を提供する。【解決手段】画像データに基づく画像を表示する表示手段と、前記表示手段に入力する画像データに対し画像処理を行う処理手段と、外光の明るさの情報を取得する取得手段と、外光の明るさに応じて前記画像処理のパラメータを設定する制御手段と、を備え、前記制御手段は、外光の明るさが閾値以上の場合、前記表示手段による表示輝度の低下の抑制を優先する第１設定値にパラメータを設定し、外光の明るさが前記閾値より小さい場合、前記表示手段による表示色の正確性を優先する第２設定値にパラメータを設定することを特徴とする表示装置。【選択図】図１
2017203948.tif 000002
【特許請求の範囲】
【請求項１】
画像データに基づく画像を表示する表示手段と、
前記表示手段に入力する画像データに対し画像処理を行う処理手段と、
外光の明るさの情報を取得する取得手段と、
外光の明るさに応じて前記画像処理のパラメータを設定する制御手段と、
を備え、
前記制御手段は、外光の明るさが閾値以上の場合、前記表示手段による表示輝度の低下の抑制を優先する第１設定値にパラメータを設定し、外光の明るさが前記閾値より小さい場合、前記表示手段による表示色の正確性を優先する第２設定値にパラメータを設定することを特徴とする表示装置。
【請求項２】
前記取得手段は、外光の照度を検出するセンサである請求項１に記載の表示装置。
【請求項３】
前記第１設定値は、前記表示手段が表示可能な最大輝度で表示が行われるよう設定される請求項１又は２に記載の表示装置。
【請求項４】
前記画像処理のパラメータは、画像データの輝度を調整するための輝度ゲインを含み、
前記第１設定値の輝度ゲインは、１に設定される請求項３に記載の表示装置。
【請求項５】
前記画像処理のパラメータは、前記表示手段による表示色が目標色となるように画像データを補正するホワイトバランス調整の設定値を含み、
前記第２設定値は、画像データの全ての階調において前記ホワイトバランス調整が行われるよう設定される請求項１〜４のいずれか１項に記載の表示装置。
【請求項６】
前記画像処理のパラメータは、画像データの輝度を調整するための輝度ゲインを含み、
前記第２設定値の輝度ゲインは、１より小さい値に設定される請求項５に記載の表示装置。
【請求項７】
前記第２設定値の輝度ゲインは、前記ホワイトバランス調整による画像データの補正量に基づき設定される請求項６に記載の表示装置。
【請求項８】
前記画像処理のパラメータは、画像データの輝度を調整するための輝度ゲインを含み、
前記第１設定値の輝度ゲインは、前記第２設定値の輝度ゲインより大きい請求項１〜７のいずれか１項に記載の表示装置。
【請求項９】
前記画像処理のパラメータは、さらにガンマ補正の設定値を含み、
前記第１設定値及び前記第２設定値のガンマ補正の設定値は、前記第１設定値及び前記第２設定値の輝度ゲインに基づきそれぞれ設定される請求項４、６、７及び８のいずれか１項に記載の表示装置。
【請求項１０】
前記表示手段は、発光手段と、前記発光手段の光を画像データに基づき変調する表示パネルと、を有し、
前記制御手段は、外光の明るさに応じて前記発光手段の発光量をさらに設定する請求項１〜９のいずれか１項に記載の表示装置。
【請求項１１】
前記制御手段は、外光の明るさが前記閾値以上の場合、前記発光手段の発光量を所定の発光量に設定し、外光の明るさが前記閾値より小さい場合、前記発光手段の発光量を前記第２設定値の輝度ゲインに応じた発光量に設定する請求項１０に記載の表示装置。
【請求項１２】
前記所定の発光量は、前記発光手段が発光できる最大の発光量である請求項１１に記載の表示装置。
【請求項１３】
前記第２設定値の輝度ゲインに応じた発光量は、前記表示手段による表示輝度の前記輝度ゲインによる低下を補償するように設定される請求項１１又は１２に記載の表示装置。
【請求項１４】
画像データに基づく画像を表示する表示手段と、
前記表示手段に入力する画像データに対し画像処理を行う処理手段と、
前記画像処理のパラメータとして、前記表示手段による表示輝度の低下の抑制を優先する第１設定値と、前記表示手段による表示色の正確性を優先する第２設定値と、のいずれを選択するかの指示をユーザから受け付ける入力手段と、
前記ユーザの選択に応じて前記画像処理のパラメータを設定する制御手段と、
を備える表示装置。
【請求項１５】
前記表示手段は、発光手段と、前記発光手段の光を画像データに基づき変調する表示パネルと、を有し、
前記制御手段は、前記ユーザの選択に応じて前記発光手段の発光量をさらに設定する請求項１４に記載の表示装置。
【請求項１６】
前記制御手段は、前記ユーザにより前記第１設定値が選択された場合、前記発光手段の発光量を所定の発光量に設定し、前記ユーザにより前記第２設定値が選択された場合、前記発光手段の発光量を前記第２設定値の輝度ゲインに応じた発光量に設定する請求項１５に記載の表示装置。
【請求項１７】
前記所定の発光量は、前記発光手段が発光できる最大の発光量である請求項１６に記載の表示装置。
【請求項１８】
前記第２設定値の輝度ゲインに応じた発光量は、前記表示手段による表示輝度の前記輝度ゲインによる低下を補償するように設定される請求項１６又は１７に記載の表示装置。
【請求項１９】
画像データに基づく画像を表示する表示手段を備える表示装置の制御方法であって、
前記表示手段に入力する画像データに対し画像処理を行う処理工程と、
外光の明るさの情報を取得する取得工程と、
外光の明るさに応じて前記画像処理のパラメータを設定する制御工程と、
を有し、
前記制御工程では、外光の明るさが閾値以上の場合、前記表示手段による表示輝度の低下の抑制を優先する第１設定値にパラメータを設定し、外光の明るさが前記閾値より小さい場合、前記表示手段による表示色の正確性を優先する第２設定値にパラメータを設定することを特徴とする表示装置の制御方法。
【請求項２０】
画像データに基づく画像を表示する表示手段を備える表示装置の制御方法であって、
前記表示手段に入力する画像データに対し画像処理を行う処理工程と、
前記画像処理のパラメータとして、前記表示手段による表示輝度の低下の抑制を優先する第１設定値と、前記表示手段による表示色の正確性を優先する第２設定値と、のいずれを選択するかの指示をユーザから受け付ける入力工程と、
前記ユーザの選択に応じて前記画像処理のパラメータを設定する制御工程と、
を有する表示装置の制御方法。
【発明の詳細な説明】
【技術分野】
【０００１】
本発明は、表示装置及びその制御方法に関するものである。
【背景技術】
【０００２】
液晶ディスプレイ等の表示装置は、パネル特性や光源特性のばらつきにより、装置毎にホワイトバランスが異なるが、ホワイトバランス調整を行うことにより、同じ画像データの入力に対し表示される色が同じになるようにしている。図７にホワイトバランス調整の一例を示す。図７の横軸は入力画像データの階調値であり、縦軸は出力画像データの階調値である。ホワイトバランス調整では、入力階調値に対し、オフセット調整、ゲイン調整、ガンマ補正による調整等を行い、出力階調値を算出する。画像データの階調値にはビット数に応じた値域がある。８ｂｉｔの場合０〜２５５、１０ｂｉｔの場合０〜１０２３である。ホワイトバランス調整により入力画像データの階調値を増加させる調整が必要になる場合、入力画像データの最大階調値（例えば２５５）の近傍の階調値は調整することができなくなる可能性がある。そこで、入力画像データに対し、ホワイトバランス調整による階調値の増加分を予め輝度ゲイン調整により下げておくことが考えられる。しかしながらこの方法では入力画像データの最大階調値が下がってしまう。これに対し、特許文献１には、入力画像データやユーザによるコントラスト調整に応じてホワイトバランス調整の方法を切り替える技術が開示されている。例えば、入力画像データの輝度のダイナミックレンジが１００％の場合には最大輝度を確保するようホワイトバランスの調整を行う。
【先行技術文献】
【特許文献】
【０００３】
【特許文献１】特開２００７−１４２９８３号公報
【発明の概要】
【発明が解決しようとする課題】
【０００４】
上述の従来技術では入力画像データのダイナミックレンジに応じてホワイトバランス調整の方法を切り替えているが、ユーザにとって好ましい調整方法は表示装置の使用環境によって異なることを考慮していない。
【０００５】
本発明は、表示装置の使用環境に応じて適切な画質調整を行う技術を提供することを目的とする。
【課題を解決するための手段】
【０００６】
本発明は、画像データに基づく画像を表示する表示手段と、
前記表示手段に入力する画像データに対し画像処理を行う処理手段と、
外光の明るさの情報を取得する取得手段と、
外光の明るさに応じて前記画像処理のパラメータを設定する制御手段と、
を備え、
前記制御手段は、外光の明るさが閾値以上の場合、前記表示手段による表示輝度の低下の抑制を優先する第１設定値にパラメータを設定し、外光の明るさが前記閾値より小さい場合、前記表示手段による表示色の正確性を優先する第２設定値にパラメータを設定することを特徴とする表示装置である。
【０００７】
本発明は、画像データに基づく画像を表示する表示手段と、
前記表示手段に入力する画像データに対し画像処理を行う処理手段と、
前記画像処理のパラメータとして、前記表示手段による表示輝度の低下の抑制を優先す
る第１設定値と、前記表示手段による表示色の正確性を優先する第２設定値と、のいずれを選択するかの指示をユーザから受け付ける入力手段と、
前記ユーザの選択に応じて前記画像処理のパラメータを設定する制御手段と、
を備える表示装置である。
【０００８】
本発明は、画像データに基づく画像を表示する表示手段を備える表示装置の制御方法であって、
前記表示手段に入力する画像データに対し画像処理を行う処理工程と、
外光の明るさの情報を取得する取得工程と、
外光の明るさに応じて前記画像処理のパラメータを設定する制御工程と、
を有し、
前記制御工程では、外光の明るさが閾値以上の場合、前記表示手段による表示輝度の低下の抑制を優先する第１設定値にパラメータを設定し、外光の明るさが前記閾値より小さい場合、前記表示手段による表示色の正確性を優先する第２設定値にパラメータを設定することを特徴とする表示装置の制御方法である。
【０００９】
本発明は、画像データに基づく画像を表示する表示手段を備える表示装置の制御方法であって、
前記表示手段に入力する画像データに対し画像処理を行う処理工程と、
前記画像処理のパラメータとして、前記表示手段による表示輝度の低下の抑制を優先する第１設定値と、前記表示手段による表示色の正確性を優先する第２設定値と、のいずれを選択するかの指示をユーザから受け付ける入力工程と、
前記ユーザの選択に応じて前記画像処理のパラメータを設定する制御工程と、
を有する表示装置の制御方法である。
【発明の効果】
【００１０】
本発明によれば、表示装置の使用環境に応じて適切な画質調整を行うことができる。
【図面の簡単な説明】
【００１１】
【図１】実施例１の撮像装置の機能構成を示す図
【図２】輝度ゲイン設定値とガンマ設定値による入出力特性の違いを示す図
【図３】実施例１の画質調整処理を示すフローチャート
【図４】実施例２の撮像装置の機能構成を示す図
【図５】実施例２の画質調整処理を示すフローチャート
【図６】輝度ゲイン、ガンマ、バックライト電流設定値の関係を示した図
【図７】ホワイトバランス調整の一例
【発明を実施するための形態】
【００１２】
以下に、本発明の好ましい実施例を、添付の図面に基づいて詳細に説明する。
以下、図１〜図６を参照して、本発明の各実施例の動作を説明する。
＜実施例１＞
実施例１は、周囲照度に応じて、輝度ゲイン、ガンマ、ホワイトバランスを調整することを特徴とする。以下、本発明の実施例１について説明する。実施例１は撮像装置に備わる表示装置に本発明を適用した例である。
【００１３】
図１は実施例１の撮像装置の機能構成を示す図である。撮像装置は、撮像部１０１、カメラ信号処理部１０２、ビデオ信号処理部１０３、パネル信号処理部１０８、表示パネル１０９、照度センサ１１０、操作部１１１、制御部１１２、バックライトドライバ１１３、バックライト１１４、メモリ１１５等を有する。
【００１４】
制御部１１２は、撮像装置の動作の全体を制御し、種々の演算処理を行う中央処理装置（ＣＰＵ）である。制御部１１２は、記憶装置（フラッシュメモリ等）に記憶されるプログラムをワークメモリに展開し、プログラムを実行することで後述する種々の機能を実行する。
撮像部１０１は、レンズを通して結像された画像を電気信号に変換する光電変換素子である。
【００１５】
カメラ信号処理部１０２は、撮像部１０１から送られてきた電気信号に対し各種信号処理を施す。
ビデオ信号処理部１０３は、カメラ信号処理部１０２の出力信号に対し圧縮伸張処理を施す。圧縮伸長処理の方式としては、モーションＪＰＥＧやＭＰＥＧを例示できる。モーションＪＰＥＧは、１枚１枚のフレームを独立して圧縮符号化する動画符号化方式である。ＭＰＥＧは、フレーム毎に独立した圧縮符号化、フレーム間差分の圧縮符号化、複数フレームからの予測に基づく圧縮符号化等を含む動画符号化方式である。
【００１６】
表示パネル１０９は、画像データに基づく画像を表示する表示手段である。バックライト１１４は、表示パネル１０９を照射する発光手段である。実施例１では、表示パネル１０９として液晶パネルを用いる。なお、表示パネルは、液晶パネルのようなバックライトからの光を画像データに基づき変調する透過型表示パネルでも良いし、有機ＥＬパネルのような自発光型表示パネルでも良い。自発光型表示パネルを用いる場合は、バックライト１１４は不要である。
【００１７】
パネル信号処理部１０８は、入力される画像データに対し画像処理を行うとともに表示パネル１０９に表示に適した画像データに変換する。パネル信号処理部１０８は、輝度ゲイン調整部１０４、ＹＣＣ→ＲＧＢ変換部１０５、ガンマ調整部１０６、ＷＢ調整部１０７を有する。輝度ゲイン調整部１０４は、入力されるＹＣｂＣｒ形式の画像データに対し、輝度ゲイン処理を施す。ＹＣＣ→ＲＧＢ変換部１０５は、ＹＣｂＣｒ形式の画像データをＲＧＢ形式の画像データに変換する。ガンマ調整部１０６は、画像データの入出力特性を変化させるガンマ処理を施す。ＷＢ調整部１０７は、画像データのホワイトバランスを調整する。表示パネル１０９への画像データ出力のＯＮ／ＯＦＦは、制御部１１２により制御される。パネル信号処理部１０８は、照度センサ１１０により取得される外光の明るさの情報に応じて上記の各種の画像処理のパラメータを設定する。
【００１８】
操作部１１１は、制御部１１２に各種の動作指示を入力するための操作部材である。操作部材には、メニュー画面を表示させるメニューボタン、カーソル移動等を行う上下左右の４方向ボタン、決定指示を入力するＳＥＴボタン等がある。また、場面によって種々の機能が割り当てられるボタンもある。複数機能の割り当てが可能なボタンの機能は、表示パネル１０９に表示されるＧＵＩ（Graphical User Interface）によって識別可能である。なお、操作部１１１は、表示パネル１０９に対する接触を検知可能なタッチパネルによって構成してもよい。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１９】
照度センサ１１０は、外光の明るさの情報を取得する。実施例１では、照度センサ１１０は、撮像装置の周囲の照度を検出するセンサである。照度センサ１１０は、検出した照度の情報を制御部１１２へ送信する。制御部１１２は、照度に応じてバックライト１１４の輝度を決定し、決定した輝度に基づきバックライト１１４を制御する制御信号をバックライトドライバ１１３に送る。このようにして、撮像装置の周囲の照度（明るさ）に応じたバックライト１１４の輝度制御を行うこともできる。使用環境と照度との関係は、典型的には、晴天下では１０万ルクス以上、曇天下では３万ルクス程度、屋内で１０００ルク
ス以下である。なお、実施例１の特徴点は、後述するように外光条件に応じて画像データに対する画像処理パラメータを切り替えることであり、外光条件に応じたバックライト輝度の調整は必ずしも行わなくても良い。
【００２０】
メモリ１１５は、電気的に消去・記録可能な記憶装置あり、例えばＥＥＰＲＯＭ（Electrically Erasable Programmable Read-Only Memory）等が用いられる。メモリ１１５に
は、表示パネル１０９の画質パラメータが記憶される。輝度ゲイン調整部１０４、ガンマ調整部１０６、ＷＢ調整部１０７に画質パラメータの値を適用することで、表示パネル１０９の画質を調整することができる。また、メモリ１１５は、バックライトの電流設定値を記憶しており、バックライトドライバ１１３に電流設定値を適用することで、バックライト１１４の輝度を調整することができる。
【００２１】
次に、実施例１の輝度ゲイン調整部１０４及びガンマ調整部１０６の設定値と、表示パネル１０９の入出力特性と、の関係について説明する。
【００２２】
輝度ゲイン調整部１０４の設定値をＹ＊（Ｙ０，Ｙ１等）と表し、ガンマ調整部１０６の設定値をγ＊（γ０、γ１等）と表す。図２は輝度ゲイン設定値及びガンマ設定値を異ならせた場合の表示パネル１０９の入出力特性の変化を示す図である。ここで、輝度ゲインＹ０（１倍）、ガンマγ０のとき、表示パネル１０９の入出力特性がγ２．２になるとする。この表示パネル１０９の入出力特性を図２の実線で示す。次に、輝度ゲインＹ１（０．９倍）、ガンマγ０に設定した場合、表示パネル１０９の入出力特性は図２の破線で表されるとする。このように、ガンマ設定値が同じで輝度ゲイン設定値が小さくなると、表示パネル１０９の入出力特性のカーブ形状はより下に凸の形状になる（γが大きくなる）。従って、輝度ゲインＹ１の場合の表示パネル１０９の入出力特性をγ２．２にするためには、ガンマγ０に設定した場合よりもカーブ形状を持ち上げる必要がある。そのためのガンマ設定値をガンマγ１とする。輝度ゲインＹ１、ガンマγ１とすると、表示パネル１０９の入出力特性は図２の実線と同じγ２．２になる。このように、ガンマ補正の設定値は、輝度ゲインに基づき設定される。標準輝度ゲイン（Ｙ０）、標準ガンマ（γ０）の場合と同じ入出力特性が得られる輝度ゲインとガンマ設定値との組み合わせの情報は、メモリ１１５に記憶される。
【００２３】
工場出荷前のホワイトバランス調整では、輝度ゲインＹ０、ガンマγ０の場合と、輝度ゲインＹ１、ガンマγ１の場合とのそれぞれについて、ホワイトバランス調整が行われる。各々の場合におけるホワイトバランス調整値をＷＢ０、ＷＢ１とする。このホワイトバランス調整値は、表示パネル１０９による表示色が目標色となるように画像データを補正するための設定値である。メモリ１１５に記憶される。ここで、ホワイトバランス調整値は、例えば、ＬＵＴ（Lookup Table）の形式でメモリ１１５に記憶される。ＬＵＴは、例えば全階調値について、ホワイトバランスを所定の目標値にするために入力画像の階調値を補正するための補正量や、補正後の階調値の情報を有する。全階調値について補正量や補正後の階調値の情報を有していないＬＵＴを用いることもできる。その場合、補正量や補正後の階調値がＬＵＴに定義されていない階調値については、補間計算によりホワイトバランス調整を行う。ＬＵＴとしては、１次元ＬＵＴや３次元ＬＵＴを用いることができる。ホワイトバランス調整値はＬＵＴに限らず、演算式としてメモリ１１５に記憶されていてもよい。
【００２４】
輝度ゲインＹ０（１倍）の場合は、表示パネル１０９が表示可能な最大輝度で実際の表示を行うことができる。しかし、輝度ゲインＹ０の場合、入力画像データの最大階調値近傍においては、ホワイトバランス調整のために階調値を調整することができない場合がある（特に階調値を増加させる調整をする場合）。その場合、高階調領域ではホワイトバランスが合っていない状態となる。従って、輝度ゲインＹ０、ガンマγ０の設定値は、ホワ
イトバランスよりも最大輝度を確保することを優先した画質モードであると言える。以下、輝度ゲインＹ０、ガンマγ０、ホワイトバランスＷＢ０の組み合わせを「輝度重視設定値」（第１設定値）と呼ぶ。輝度重視設定値は、表示パネル１０９による表示輝度の低下の抑制を優先するよう設定される画像処理パラメータである。
【００２５】
一方、輝度ゲイン設定値がＹ１（０．９倍）の場合、入力画像データの最大階調値が小さくなるので、入力画像データの最大階調値を表示させても、表示輝度は、表示パネル１０９が表示可能な最大輝度より低くなる。しかし、ホワイトバランス調整において、入力画像データの最大階調値近傍において階調値を上げる調整を行うことができるため、高階調領域でもホワイトバランス調整を適切に行うことができる。従って、輝度ゲインＹ１、ガンマγ１の設定値は、最大輝度を確保することよりもホワイトバランスを優先した画質モードであると言える。以下、輝度ゲインＹ１、ガンマγ１、ホワイトバランスＷＢ１の組み合わせを「色重視設定値」（第２設定値）と呼ぶ。色重視設定値は、表示パネル１０９による表示色の正確性を優先するよう設定される画像処理パラメータである。実施例１では、色重視設定値は、入力される画像データの全ての階調においてホワイトバランス調整が行われるよう設定される。色重視設定値の輝度ゲインは、ホワイトバランス調整による画像データの補正量に基づき設定される。特に高階調領域において、ホワイトバランス調整で必要な補正量の補正を行っても画像データの最大階調値（８ｂｉｔなら２５５）を超えないように、輝度ゲインが設定される。
【００２６】
なお、輝度重視設定値及び色重視設定値の輝度ゲインの値（Ｙ０＝１．０倍、Ｙ１＝０．９倍）は一例であってこれらに限定されない。輝度重視設定値の輝度ゲインは、色重視設定値の輝度ゲインより大きい。色重視設定値における輝度ゲインは、ホワイトバランス調整のために必要な輝度調整量に応じて適宜設定されるべき値である。また、輝度ゲイン及びガンマの組み合わせは上記の例のように第１設定値と第２設定値の２種類に限らず、３種類以上の組み合わせを予め定義してメモリ１１５に記憶させておいても良い。
【００２７】
次に、使用環境に応じてユーザにとってより適切な観察が可能となる表示パネル１０９の表示画質について説明する。晴天下の屋外のように外光が明るい環境下では、表示パネル１０９は、コントラストが低くなり視認性が低下するため、色の調整はそもそも困難である。従って、外光が明るい条件下では、ユーザが求める表示パネル１０９の画質は、色の調整よりも画角の確認等をより確実に行うことが可能な、視認性の高い画質であると言える。一方、曇天の屋外や屋内等のように外光が明るくない環境下では、表示パネル１０９の視認性が高いため、ユーザが求める表示パネル１０９の画質性能は、色の調整をより確実に行うことが可能な、色の正確な表示であると言える。このように、使用環境（外光条件、周囲照度）の違いで表示パネル１０９に求められる画質は異なる。
【００２８】
次に、実施例１における、周囲照度に応じた輝度ゲイン、ガンマ、及びホワイトバランスの制御方法について説明する。図３は実施例１における、周囲照度に応じた輝度ゲイン、ガンマ、及びホワイトバランスの制御方法を示すフローチャートである。このフローチャートの処理は、撮像装置の電源が投入されると、制御部１１２によって実行される。
【００２９】
Ｓ３０１において、制御部１１２は、照度センサ１１０による検出値に基づき、周囲の照度が所定の閾値以上であるかを判定する。実施例１では、使用環境が屋外か室内かを判定するために、閾値を１万ルクスとする。なお、閾値はこの値に限らず、判定の目的に応じて適宜設定されるべきものである。周囲照度が閾値以上の場合は、Ｓ３０２へ進み、それ以外の場合は、Ｓ３０３へ進む。
【００３０】
Ｓ３０２において、制御部１１２は、輝度重視設定値をメモリ１１５から読み込む。制御部１１２は、輝度ゲインＹ０、ガンマγ０、ホワイトバランスＷＢ０に設定する。周囲
照度が１万ルクス以上の環境は、屋外であると判定できる。屋外では、太陽光の影響により表示パネル１０９の視認性が低下するため、輝度を確保する必要がある。そこで、周囲照度が閾値以上の場合には、表示パネル１０９の表示性能の最大輝度で表示が可能なように、輝度重視設定値に設定する。これにより、屋外での視認性を確保することができる。この場合、高階調領域でホワイトバランス調整のための階調補正ができなくなる可能性があるが、強い外光条件下では色の確認は困難であるから、色の正確性が多少低下しても、視認性を確保する方をユーザは重視すると考えられるため、このような処理を行う。
【００３１】
Ｓ３０３において、制御部１１２は、色重視設定値をメモリ１１５から読み込む。制御部１１２は、輝度ゲインＹ１、ガンマγ１、ホワイトバランスＷＢ１に設定する。周囲照度１万ルクス未満の環境は、屋内や日陰であると判定できる。このような使用環境では、表示パネル１０９の輝度が高くなくてもユーザは表示内容を容易に視認可能であるため、色合い等を注意深く確認することができる。そのため、ホワイトバランスが正確に調整されていることが重要となる。そこで、周囲照度が閾値より小さい場合は、表示パネル１０９のホワイトバランスが高階調側まで調整された状態で表示できるように、色重視設定値に設定する。
【００３２】
Ｓ３０４において、制御部１１２は、撮像装置の電源がＯＦＦにされたか確認し、電源がＯＦＦにされるまで以上の処理を繰り返す。電源がＯＦＦにされると、制御部１１２は、このフローチャートの処理を終了する。
【００３３】
このように、実施例１の撮像装置によれば、周囲照度に応じて、輝度ゲイン、ガンマ、及びホワイトバランスの組み合わせを制御するので、ユーザの使用環境に応じた適切な表示をすることができる。例えば、屋外や屋内等の種々の場所を移動しながら撮影するような場合でも、撮影場所の照度に応じて自動的に適切な画質調整がされるため、ユーザは使用環境に応じて手動で観察し易いように画質調整をする手間が省けるため、利便性が向上する。
【００３４】
なお、実施例１では、撮像装置の表示パネルの画質調整に本発明を適用した例を説明したが、輝度ゲイン、ガンマ、ホワイトバランスを制御可能な表示装置全般に本発明は適用可能である。例えば、液晶テレビに本発明を適用した場合、昼間と夜間、部屋を明るくしてニュース番組を視聴する時と部屋を暗くして映画を視聴する時等で、周囲照度は変化する。この周囲照度の変化に応じて、輝度重視設定と色重視設定とを自動で切り替える制御を行うことで、ユーザが使用環境の変化に合わせて自ら輝度ゲイン、ガンマ、ホワイトバランスを調整する手間が省けるため、利便性が向上する。なお、実施例１では外光条件に応じて自動で表示制御モードを輝度重視設定又は色重視設定に切り替える例を示したが、ユーザが手動で表示制御モードを切り替えられるようにしても良い。
【００３５】
＜実施例２＞
次に、本発明の実施例２について説明する。実施例２において、実施例１と共通の構成要素については同一の符号を用いることでその説明を省略する。
実施例２は、表示パネルの明るさの制御モードに応じて、輝度ゲイン、ガンマ、ホワイトバランス、及びバックライト電流を変更することを特徴とする。また、表示パネルの明るさの制御モードは、ユーザの選択に応じて切り替えられる。
【００３６】
図４は実施例２の撮像装置の機能構成を示す図である。実施例１の撮像装置の構成との差異は、明るさ設定選択部４０１を追加し、表示パネル１０９の明るさの制御モードとして高輝度モードと標準輝度モードのいずれかをユーザが設定（選択）可能な構成を有する点である。詳細には、設定選択部４０１は、パネル信号処理部１０８による画像処理パラメータとして、輝度重視設定値と色重視設定値と、のいずれを選択するかの指示の入力を
ユーザから受け付ける。輝度重視設定値は、表示パネル１０９による表示輝度の低下の抑制を優先する第１設定値、色重視設定値は、表示パネル１０９による表示色の正確性を優先する第２設定値である。
【００３７】
高輝度モードは、最大輝度を確保することを優先した画質モードであり、屋外で表示パネル１０９を観察する場合を想定した画質モードである。高輝度モードでは、周囲照度が明るい使用環境下においても視認性を確保できるように、表示パネル１０９に可能な最大の輝度で表示が可能なように制御される。
【００３８】
標準輝度モードは、色の正確性を優先した画質モードであり、屋内や曇天の屋外のように表示パネルの輝度を高くしなくても視認性を十分に確保できる使用環境下において表示パネル１０９を観察する場合を想定した画質モードである。標準輝度モードでは、ホワイトバランスが正確に調整され、色再現性が高い表示が可能なように制御される。標準輝度モードでは、ホワイトバランス調整のための階調調整幅を確保するために、輝度ゲインを下げる階調補正を行う。さらに、輝度ゲインを下げることによる表示輝度の低下を補償するように、バックライト電流を調整する。これにより、ホワイトバランスを優先した画質モードにおける表示輝度の低下を抑制できる。
【００３９】
図６は実施例２における、輝度ゲイン、ガンマ、バックライト電流の関係を示した図である。輝度ゲインとガンマとの関係は、実施例１において記載した内容と同一であるため、説明を省略する。高輝度モードでは、バックライト１１４の発光量が所定の発光量となる値とする。ここでは、所定の発光量は、バックライト１１４が発光できる最大の発光量とする。よって、高輝度モードでのバックライト電流値は、バックライト１１４に設定可能な最大値Ｂ０とする。標準輝度モードでは、輝度ゲインＹ０（１倍）、バックライト電流値Ｉ０の場合に、標準輝度モードの目標輝度となるものとする。輝度ゲインＹ１（０．９倍）、バックライト電流値Ｉ０の場合、表示輝度が目標輝度より低くなる。そこで、表示輝度が目標輝度となるように、バックライト電流値Ｉ１（Ｉ０の１．１１倍の値）とする。同様にして、輝度ゲインＹ２、Ｙ３・・・Ｙｎに対応して、表示輝度が目標輝度となるようにバックライト電流設定値Ｉ２、Ｉ３・・・Ｉｎとする。このように、標準輝度モードでは、輝度ゲインに応じたバックライト１１４の発光量は、表示パネル１０９による表示輝度の輝度ゲインによる低下を補償するように設定される。なお、輝度ゲインＹ１、Ｙ２、Ｙ３・・・Ｙｎのどれを用いるかは、表示パネル１０９のホワイトバランス調整に必要な階調調整量によって変わる。輝度ゲインは、ホワイトバランス調整前の白色点の色度によって異なる。実施例２では、ホワイトバランス調整前の白色点の色度と輝度ゲインとの対応関係の情報をルックアップテーブルの形式でメモリ１１５に記憶させておき、ホワイトバランス調整において自動的に読み込むものとする。例えば、ホワイトバランス調整前の白色点が目標の白色点から大きくずれている場合は、ホワイトバランス調整による階調補正量が大きいので、輝度ゲインは小さな値に設定される。ホワイトバランス調整前の白色点の色度と、入力階調値と、を対応付ける情報がメモリ１１５に記憶されているものとする。この対応関係の情報に基づき、入力階調値に応じたホワイトバランス調整前の白色点の色度の情報が読み込まれ、この白色点の色度の情報に応じた輝度ゲインの情報が読み込まれる。なお、この対応関係の情報は、ホワイトバランスのキャリブレーション機能を有する表示装置ではキャリブレーション結果に基づき更新される構成とすることもできる。また、どの輝度ゲインを用いるかの設定をユーザが入力可能な構成としても良い。この場合、標準輝度モードでは常にユーザに設定された輝度ゲインが用いられる。
【００４０】
なお、図６に示す輝度ゲインＹ１，Ｙ２，・・・の値は一例であり、これらの数値に限定されるものではない。輝度ゲインは、ホワイトバランス調整に必要な階調調整量に応じて適宜、設定されるべきものである。また、バックライト電流値も、図６に示す値に限定されることはなく、用いられる輝度ゲインの値に応じて適宜、設定されるべきものである
。
【００４１】
図５は実施例２における、表示パネルの明るさの制御モードに応じた輝度ゲイン、ガンマ、ホワイトバランス、バックライト電流の制御方法を示すフローチャートである。このフローチャートの処理は、撮像装置の電源が投入されると、制御部１１２によって実行される。
【００４２】
Ｓ５０１において、制御部１１２は、表示パネル１０９の明るさ制御モードが高輝度モードであるか標準輝度モードであるかを判定する。明るさの制御モードの選択は、ユーザが明るさ設定選択部４０１を操作することにより行うことができる。明るさ設定選択部４０１は、リモコンや本体の設定ボタン等の操作部材であり、ユーザがそれらの操作部材を用いて撮像装置に制御モードを設定する指示を入力することができる。明るさ制御モードが高輝度モードの場合は、Ｓ５０２へ進み、標準輝度モードの場合は、Ｓ５０４へ進む。
【００４３】
Ｓ５０２において、制御部１１２は、メモリ１１５に記憶されている輝度重視設定値を読み込む。輝度重視設定値は、輝度ゲインＹ０、ガンマγ０、ホワイトバランスＷＢ０である。続くＳ５０３において、制御部１１２は、バックライト電流の設定値を高輝度モード用の設定値Ｂ０にする。このように、高輝度モードでは輝度重視設定値が読み込まれるので、周囲照度が高い環境下でも視認性を確保することができる。
【００４４】
Ｓ５０４において、制御部１１２は、メモリ１１５に記憶されている色重視設定値を読み込む。色重視設定値は、輝度ゲインＹｎ、ガンマγｎ、ワイトバランスＷＢｎである。続くＳ５０５において、制御部１１２は、バックライト電流の設定値を標準輝度モード用の設定値Ｉｎにする。このように、標準輝度モードでは色重視設定値が読み込まれるので、高階調領域においてもホワイトバランスが合い、色の正確性が高い表示をすることが可能となる。さらに、表示パネル１０９の表示輝度が、輝度ゲインＹ０（１倍）の場合の輝度と同等となるようにバックライト電流を上げる制御を行っているため、表示輝度の低下を抑制できる。
【００４５】
Ｓ５０６において、制御部１１２は、撮像装置の電源がＯＦＦにされたか確認し、電源がＯＦＦにされるまで以上の処理を繰り返す。電源がＯＦＦにされると、制御部１１２は、このフローチャートの処理を終了する。
【００４６】
このように、実施例２の撮像装置によれば、表示パネルの明るさ制御モードに応じて、輝度ゲイン、ガンマ、ホワイトバランス、及びバックライト電流値の組み合わせを制御するので、ユーザが選択した明るさ制御モードに応じた適切な表示をすることができる。
【００４７】
なお、実施例２では、表示パネルの明るさ制御モードに応じて輝度重視設定と色重視設定を切り替える制御を例示したが、ユーザがメニュー等で輝度重視設定と色重視設定を選択できるようにしても良い。また、実施例１と同様に、外光センサによる検出値に応じて高輝度モード（輝度重視設定）と標準輝度モード（色重視設定）とを自動で切り替えるようにしても良い。この場合、実施例１の輝度重視設定値と色重視設定値に加えて、さらに、バックライト１１４の発光量が、外光の明るさに応じて設定されることになる。そして、外光の明るさが閾値より大きい場合、バックライト１１４の発光量を所定の発光量に設定し、外光の明るさが閾値以下の場合、バックライト１１４の発光量を色重視設定値（第２設定値）の輝度ゲインに応じた発光量に設定する。所定の発光量は、例えば、バックライト１１４が発光できる最大の発光量とすることができる。また、色重視設定値（第２設定値）の輝度ゲインに応じた発光量は、表示パネル１０９による表示輝度の輝度ゲインによる低下を補償するように設定することができる。また、外光条件によって自動で制御モードを切り替える構成では、標準輝度モードにおいて、外光センサの検出値に応じて輝度
ゲインを異ならせるようにしても良い。また、実施例２では、輝度重視設定（高輝度モード）と色重視設定（標準輝度モード）との切り替えをユーザの選択及び指示に応じて行うため、外光の明るさを検出するセンサは必ずしも備えていなくても良い。
【００４８】
上記の各実施例では、表示パネルのガンマをγ２．２として説明したが、この値は一例でありこれに限定されない。また、高階調側のホワイトバランスの調整を可能にするために輝度ゲインを調整する方法を例示したが、これは一例でありこの方法に限定されない。例えば、ＲＧＢ値に対するゲインを調整する等によりホワイトバランス調整に必要な階調調整量を確保するようにしても良い。
【００４９】
以上、本発明をその好適な実施例に基づいて詳述してきたが、本発明はこれら特定の実施例に限られるものではなく、この発明の要旨を逸脱しない範囲の様々な形態も本発明に含まれる。上述の実施例の一部を適宜組み合わせてもよい。
【００５０】
上記の実施例は撮像装置に備わる表示装置に本発明を適用した例であるが、本発明は撮像装置に備わる表示装置に限らず、種々の表示装置に適用できる。例えば、デジタルテレビやＰＣ用ディスプレイ、スマートフォンやゲーム機等の携帯端末、プロジェクタ等に適用することができる。
【００５１】
上記の実施例では、外光条件によって表示装置に求められる画質が色重視か輝度（視認性）重視か変わる点に着目した例を示したが、表示装置の画質を切り替える外的条件は明るさに限らない。例えば、色温度、背景の種類、人物の有無、撮影モード（静止画、動画、タイムラプス等）のように、センサや画像処理等によって検知可能などのような種類の外的条件も、それに応じて表示装置の画質を切り替える条件として用いることができる。また、外的条件によって切り替える（変化させる）画質性能は、色又は輝度という組み合わせに限らない。変化させる画質性能は、表示装置や表示装置を備える機器（撮像装置や携帯端末等）の使用目的等によって種々のものが考えられる。
【００５２】
上記の各実施例に係る撮像装置は、プロセッサと、制御プログラムが格納されたメモリとを備えており、撮像装置が備える少なくとも一部の機能部の処理は、プロセッサがメモリから制御プログラムを読み出して実行することにより実現される。
【００５３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５４】
１０８：パネル信号処理部、１０９：表示パネル、１１０：照度センサ、１１２：制御部
【図１】
2017203948.tif 000003
【図２】
2017203948.tif 000004
【図３】
2017203948.tif 000005
【図４】
2017203948.tif 000006
【図５】
2017203948.tif 000007
【図６】
2017203948.tif 000008
【図７】
2017203948.tif 000009